(57)【要約】【課題】電気集塵機の放電線の保守交換の煩雑さによる取付けバラツキの発生を抑制し、放電線を着脱可能な着脱ユニットで一体着脱できることを目的とする。【解決手段】集塵対象となる塵埃に電荷を付与する帯電部は、板状を有する複数の接地極と、前記複数の接地極と交互に配置されて高電圧が印加される複数の放電線とを備え、前記複数の放電線は、ケーシングに前記接地極とは独立して着脱可能な着脱ユニットに設けられたことにより、定期的な放電線の保守交換時の作業煩雑さによる取付けバラツキ発生を抑制することができ、確実な帯電性能を発揮することができる。【選択図】図２
2018034104.tif 000002
【特許請求の範囲】
【請求項１】
ケーシングと当該ケーシング内に設けられた風路と当該風路を通る空気に含まれる塵埃を捕集する集塵部と当該集塵部の上流側にて前記塵埃に電荷を付与する帯電部とを備えた電気集塵機であって、
前記帯電部は、
板状を有する複数の接地極と、
前記複数の接地極と交互に配置されて高電圧が印加される複数の放電線と、
前記複数の放電線が配置され前記ケーシングに前記接地極とは独立して着脱可能な着脱ユニットとを備えた電気集塵機。
【請求項２】
前記着脱ユニットは、
前記ケーシング内の風路における風の流れに対して前記複数の放電線が構成する放電平面を垂直に仮装着可能とし、
前記仮装着された状態から前記ケーシング内の風路における風の流れに対して平行にスライドさせることで前記ケーシングに固定するスライド構造を有する請求項１記載の電気集塵機。
【請求項３】
前記仮装着は、
前記風路の側方から前記放電平面を前記風の流れに対して垂直状態でスライドさせて行う請求項２記載の電気集塵機。
【請求項４】
前記スライド方向は、前記放電平面が前記接地極に近づく方向である請求項２または３に記載の電気集塵機。
【請求項５】
前記着脱ユニットは、
当該着脱ユニットの外郭を構成する矩形のフレームと前記フレームにおける矩形の一辺から当該フレーム平面に対して垂直に突出する板状の係合基部Ａと、
前記係合基部Ａにて前記放電線の一端部と係合する引掛け部Ａと、
前記矩形の前記一辺に対向する対向辺から前記係合基部Ａと同一方向に突出する板状の係合基部Ｂと、
前記係合基部Ｂにて前記放電線の他端部と係合する引掛け部Ｂとを備え、
前記係合基部Ａは、
隣接する引掛け部との間にて前記接地極側が開放となるＵ型溝を備える請求項２から４のいずれかに記載の電気集塵機。
【請求項６】
前記帯電部および前記集塵部の上部に使用過程で付着した捕集物を液体で洗浄するための液体洗浄手段を備え、
前記係合基部Ｂは、
前記液体洗浄手段から放出された液体を前記着脱ユニット内に導く洗浄孔を備えた請求項５に記載の電気集塵機。
【発明の詳細な説明】
【技術分野】
【０００１】
本発明は、塵埃に電荷を付加する帯電部を有する電気集塵機に関するものである。
【背景技術】
【０００２】
従来、この種の電気集塵機は、空気中の異物を帯電させるための帯電部が設けられ、帯電部を構成する帯電極の経年劣化に対して保守を行うために、部品の交換を行う手段を設けられたものが知られている（例えば、特許文献１参照）。
【０００３】
以下、その構造について図６を参照しながら説明する。
【０００４】
図６に示すように、電気集塵機の帯電手段である帯電部として、帯電極板１０５と帯電接地極板１０６との間でコロナ放電を発生させることで、空気中の塵埃等に帯電させるイオン化部を備える。イオン化部の帯電極板１０５の片側を給電シャフト１０７に引っ掛け、さらに反対側をバネ１１１により引っ張って保持する。この構成によって、放電電流が減少して集塵性能が確保できなくなった場合であっても、イオン化部の帯電極板１０５だけを容易に取り外して交換できるようにしている。
【先行技術文献】
【特許文献】
【０００５】
【特許文献１】特開２０１０−１７６７６号公報
【発明の概要】
【発明が解決しようとする課題】
【０００６】
このような従来の放電線を用いた帯電部を備えた電気集塵機においては、保守交換を考慮して放電線をケーシングに保持される引掛け部に保持する構造で構成されていた。そして、帯電部は一般的に効率的に大風量を取り扱って集塵するために複数の放電線を必要とするので、各々の放電線の固定を個別で行う必要がある。しかし、現場作業において放電線の取付け時の張力や保持部への確実な引掛けなどを正確に行うには、作業者の作業技術に依る部分があるという課題を有していた。
【０００７】
そこで本発明は、上記従来の課題を解決するものであり、放電線の保守交換の煩雑さによる取付け時のバラツキの発生を抑制し、作業者の技術レベルに影響されることなく設計時に意図された性能を発揮可能な電気集塵機を提供することを目的とする。
【課題を解決するための手段】
【０００８】
そして、この目的を達成するために、本発明に係る電気集塵機は、放電線が接地極から独立して着脱できる着脱ユニットに固定された構成することを特徴としたものであり、これにより所期の目的を達成するものである。
【発明の効果】
【０００９】
本発明によれば、放電線の保守交換の煩雑さによる取付け時のバラツキの発生を抑制し、作業者の技術レベルに影響されることなく設計時に意図された性能を発揮することができる。
【図面の簡単な説明】
【００１０】
【図１】本発明の実施の形態に係る電気集塵機の構成を示す斜視図。
【図２】実施の形態に係る帯電部の構成を示す斜視図。
【図３】実施の形態に係る集塵部と帯電部の構成を示す上面図。
【図４】実施の形態に係る着脱ユニットの構成を示す斜視図。
【図５】実施の形態に係る洗浄手段の構成を示す断面正面図。
【図６】従来の電気集塵機の構成を示す斜視図。
【発明を実施するための形態】
【００１１】
本発明に係る電気集塵機は、ケーシングと当該ケーシング内に設けられた風路と当該風路を通る空気に含まれる塵埃を捕集する集塵部と当該集塵部の上流側にて前記塵埃に電荷を付与する帯電部とを備えた電気集塵機であって、前記帯電部は板状を有する複数の接地極と前記複数の接地極と交互に配置されて高電圧が印加される複数の放電線と、前記複数の放電線が配置され前記ケーシングに前記接地極とは独立して着脱可能な着脱ユニットとを備えた構成を有する。
【００１２】
これにより、放電線の交換作業時において複数の放電線を一度に着脱することができるので、狭小部分での交換作業を簡単化することができる。また放電線の引っ掛けの張力管理が容易となり、放電線のたわみ発生が抑制されることで放電線と接地極との距離が均一に保たれて塵埃の帯電状態のバラツキ発生を抑制することができるという効果を奏する。
【００１３】
また、前記着脱ユニットは、前記ケーシング内の風路における風の流れに対して前記複数の放電線が構成する放電平面を垂直に仮装着可能とし、前記仮装着された状態から前記ケーシング内の風路における風の流れに対して平行にスライドさせることで前記ケーシングに固定するスライド構造を有しても良い。
【００１４】
これにより、着脱構造を維持しながらも放電線の位置が接地極により近くに配置することができるため、放電線からのコロナ放電を広範囲に広げて集塵対象への帯電をより効果的に行うことができ、集塵効果をより高めることができる。
【００１５】
また、前記仮装着は、前記風路の側方から前記放電平面を前記風の流れに対して垂直状態でスライドさせて行う構成としてもよい。
【００１６】
これにより、着脱ユニットが可動できる着脱方向が風路内を通る風の向きと異なるので、意図する保守交換時を除いて外れにくく、また仮装着後の平行にスライドすることでスライド方向への移動を規制して確実にロックさせることにより、放電線と接地極との距離をより均一に保つことができるという効果を奏する。
【００１７】
また、前記スライド方向は、前記放電平面が前記接地極の中央に近づく方向にするとより良い。
【００１８】
これにより、風路内を通る風によって着脱ユニットが固定方向に押し込まれる力が働くため、着脱時の固定忘れや経年による固定緩みなどが発生した場合でも放電線は接地極との間へ誘導することができ、放電線と設置極との距離がより均一に保ちやすく塵埃の帯電状態のバラツキ発生がさらに抑制することができる。
【００１９】
また、前記着脱ユニットは、当該着脱ユニットの外郭を構成する矩形のフレームと前記フレームにおける矩形の一辺から当該フレーム平面に対して垂直に突出する板状の係合基部Ａと、前記係合基部Ａにて前記放電線の一端部と係合する引掛け部Ａと、前記矩形フレームの前記一辺に対向する対向辺から前記係合基部Ａと同一方向に突出する板状の係合基部Ｂと、前記係合基部Ｂにて前記放電線の他端部と係合する引掛け部Ｂとを備え、前記係合基部Ａは、隣接する引掛け部Ａとの間にて前記接地極側が開放となるＵ型溝を備える構造にしても良い。
【００２０】
これにより、着脱構造を維持しながらも放電線の位置が接地極により近くに配置することができ、放電線からのコロナ放電を広範囲に広げて集塵対象への帯電をより効果的に行うことができ、電気集塵機の集塵効果をより高めることができる。
【００２１】
また、前記帯電部および前記集塵部の上部に使用過程で付着した捕集物を液体で洗浄するための液体洗浄手段を備え、前記係合基部Ｂは、前記液体洗浄手段から放出された液体を前記着脱ユニット内に導く洗浄孔を備えた構造にしても良い。
【００２２】
これにより、着脱ユニットの上部から放電線に向かって直接液体洗浄が可能となるため、放電線を確実に洗浄することができ放電線による帯電機能の維持がより確実となる効果を奏する。
【００２３】
以下、本発明の実施の形態について図面を参照しながら説明する。なお、以下の実施の形態は、本発明を具体化した一例であって本発明の技術的範囲を限定するものではない。また、全図面を通して、同一の部位については同一の符号を付して説明を省略している。さらに、各図面において、本発明に直接には関係しない各部の詳細については説明を省略している。
（実施の形態１）
図１を参照しながら、本実施の形態に係る電気集塵機１５の構成について説明する。なお図１は、電気集塵機の構成を示す斜視図である。
【００２４】
図１に示すように、電気集塵機１５はケーシング１を備えている。
【００２５】
ケーシング１は、電気集塵機１５の外郭を形成する。ケーシング１は、上流端部２２にプレフィルター１８が備えられており、ケーシング１内に取り込まれた空気はまず当該プレフィルター１８で大きな異物が濾過される。ケーシング１内に取り込まれた空気はプレフィルター１８で濾過された後、ケーシング１内部に備えられた集塵部にて塵埃が捕集され、上流端部２２に対向する面に配置された下流端部２３から排出される。ケーシング１の例えば送風方向下流、つまり下流端部２３よりも下流側には、例えば送風機が配置されており、当該送風機によってケーシング１内に空気の流れ２４を形成する。ケーシング１の上部には、洗浄ボックス２９が備えられており、捕集過程で帯電部や集塵部に付着した捕集物を洗浄するための液体を溜めており、または図示しない給水部と連結されて給水可能となっている。
【００２６】
続いて、図２、図３、図４を参照しながら帯電部４と集塵部３の詳細について詳しく説明する。なお図２は、帯電部の構成を示す斜視図、図３は、集塵部と帯電部の構成を示す上面図、図４は、着脱ユニットの構成を示す斜視図である。なお図３については、図２におけるＡ−Ａ線を基準として水平方向に切断した状態を示している。
【００２７】
ケーシング１は、集塵部３と帯電部４とを備えている。集塵部３と帯電部４とは、その内部に空気の流れ２４方向に平行な空間を備えており、当該空間がケーシング１を貫通する風路２を構成する。つまり、空気の流れ２４方向における上流側となる帯電部４と下流側となる集塵部３が、風路２の一部を形成している。ケーシング１は、上面から後述の着脱ユニットを差し込んで下方に導くガイド２７を備えているが詳細は後述する。
【００２８】
集塵部３は、複数の極板１９により構成されている。
【００２９】
各極板１９は、支持シャフト２０に通されたスペーサー２１によって一定間隔を保って、空気の流れ２４に対して平行に配置されている。つまり極板１９の間に形成される空間が風路２の一部を構成する。極板１９は、ケーシング１内で、当該ケーシング１の上端から下端までの長さ（高さ）とほぼ同一の長さを有する。極板１９は、頻繁に洗浄されるため、例えばステンレス材やアルマイト処理されたアルミニウムなどの材質等を用いるのが望ましい。
【００３０】
帯電部４は、複数の高電圧が印加される極すなわち放電線６と接地極５とを備え、放電線６と接地極５とがそれぞれ交互に一定間隔を保って平行に配置されて構成されている。
【００３１】
接地極５は、集塵部３の極板１９と同様に板状である。本実施の形態では、接地極５は、集塵部３の一部の極板１９を帯電部４側に延長し、すなわち極板延長部２６を形成して当該極板延長部２６が接地極５を形成している。なお、集塵部３から独立した接地極５を平行に配置してもよい。
【００３２】
放電線６は、接地極５との間でコロナ放電を起こして通過体すなわち塵埃を帯電させる。放電線６は、接地極５とは独立してケーシング１に着脱可能な着脱ユニット７に配置される。放電線６には硬度や放電性能の観点から例えばタングステンなどの材質が選ばれ、さらに耐食性の観点から表面に金メッキなどのコーティング処理を行うのが望ましい。
【００３３】
着脱ユニット７は、フレーム９と、係合基部Ｂ１２と、引掛け部Ｂ１３と、係合基部Ａ１０と、引掛け部Ａ１１とを備えている。
【００３４】
フレーム９は、中空で矩形形状を有し、すなわち枠体である。
【００３５】
係合基部Ｂ１２は、板状であり、フレーム９の一辺すなわち上端辺を板状の一辺と一致させ、当該フレーム９の中空状の平面に対して垂直に突出して備えられる。係合基部Ｂ１２は、上端辺に平行に一定間隔で洗浄のための開口すなわち洗浄孔１７を備えているが、詳細は後述する。
【００３６】
引掛け部Ｂ１３は、係合基部Ｂ１２におけるフレーム９側とは逆の一辺に、一定間隔で設けられている。ここで一定間隔は、放電線６が配置される間隔である。引掛け部Ｂ１３は、放電線６の一端部すなわち上端部に接続されたバネ２５を引掛けて係止する機能を果たすため、例えばＳ字フックを形成するバネ２５の端部を引っ掛けることのできる突起として設けられる。
【００３７】
係合基部Ａ１０は、板状であり、フレーム９の一辺すなわち上端辺に対向する対向辺、すなわち下端辺を板状の一辺と一致させ、当該フレーム９の中空状の平面に対して垂直に突出して備えられる。つまり係合基部Ａ１０は、係合基部Ｂ１２と同一方向に突出している。
【００３８】
引掛け部Ａ１１は、係合基部Ａ１０におけるフレーム９とは逆側の端辺に引掛け部Ｂ１３と同じ一定間隔で設けられている。引掛け部Ａ１１は、放電線６の他端部と係合する形状であればよく、例えば突起やあるいは孔として設けられる。引掛け部Ａ１１は、引掛け部Ｂ１３と上下位置を一致させて同数配置され、すなわち一対の引掛け部Ａ１１と引掛け部Ｂ１３とに１本の放電線６が係止され、すなわち放電線６はフレーム９の一辺と平行に配置される。複数の放電線６が同様に配置されることで、着脱ユニット７には放電平面８が形成される。
【００３９】
係合基部Ａ１０において、隣接する２つの引掛け部Ａ１１の間には、フレーム９側に窪んで、配置時に接地極５側が開放となるＵ型溝１４を備えている。なお本実施の形態では、係合基部Ａ１０を係合基部Ｂ１２と略同一サイズの板とせず、係合基部Ｂ１２よりも小さい板をフレーム９の一辺に沿って複数一定間隔で備えることで、係合基部Ａ１０を形成している。つまり、Ｕ型溝１４に加えてＵ型溝１４と同様の機能を果たす下方開口２８を備えている。下方開口２８は、Ｕ型溝１４とは異なりフレーム９までが開口となるため、後述の洗浄時の洗浄液や水が溜まることを抑制することができる。
【００４０】
上述の構成を有する着脱ユニット７をケーシング１に配置する際には、ケーシング１の上面に備えられたガイド２７の開口に着脱ユニット７の下端を一致させる。この状態では、放電平面８は風の流れ２４に対して垂直となっている。この状態で、着脱ユニット７を挿入し、ガイド２７に従って鉛直下方である挿入方向３０に移動させる。着脱ユニット７の下端がケーシング１の下端に到達した状態すなわち仮装着状態から、当該着脱ユニット７を接地極５に近づく方向、つまり空気の流れ２４と同一方向である下流側にスライドさせる。つまり、ケーシング１は、ガイド２７よりも集塵部３側にスライド構造である空間を備えている。これにより、放電線６が接地極５の間に入り込むので、この状態で着脱ユニット７をケーシング１に固定する。
【００４１】
このような構成によれば、放電線６の保守作業において着脱ユニット７を取り外し、着脱ユニット７を作業の行いやすい手元にて複数の放電線６を着脱ユニット７上で一度に張替えを行うことが可能となる。このため、各々の極板が５〜１０ｍｍ程度の平行配置された狭小部分での交換作業環境から開放されて作業難度が低減される。
【００４２】
またバネ２５の引掛け部Ｂ１３への引掛かり確認や放電線６の張力の状態や線折れなどの目視による異常確認を手元で行うことができるので、放電線６の位置ズレやたわみ発生、異常状態での取り付けが抑制されることによって、放電線６と接地極５との距離が均一に保たれる。結果として、通過体への帯電性能のバラツキ発生を抑制することができ、安定した電気集塵機を提供できる。
【００４３】
また、着脱ユニット７が可動できる着脱方向が風路２内を通る風の向きと異なり垂直であるので、意図する保守交換時を除いて外れにくく、また仮装着後の平行にスライドすることで確実にロックさせることができる。つまり、放電線６と接地極５との距離をより均一に保つことができるという効果が高められる。このため、放電線６と接地極５間で起こるコロナ放電を広範囲に広げて通過体である集塵対象への帯電をより効果的に行うことができ、電気集塵機の集塵効果をさらに高めることができる。
【００４４】
また、ガイド２７のスライド方向は、放電平面８が接地極５に近づく方向であるため、風路２内を通る風によって着脱ユニット７が固定方向に押し込まれる力が働く。つまり着脱時の固定忘れや経年による固定緩みなどが発生した場合でも放電線６は接地極５との間へ誘導することができる。このため、放電線６と接地極５との距離がより均一に保ちやすく捕集集塵の帯電状態のバラツキ発生がさらに抑制する効果が高められる。
【００４５】
続いて、図５を参照しながら帯電部４の洗浄構造について説明する。なお図５は、液体洗浄手段１６の構成を示す断面正面図である。
【００４６】
ケーシング１の上部には、液体洗浄手段１６を格納した洗浄ボックス２９が備えられている。
【００４７】
液体洗浄手段１６は、捕集過程で帯電部や集塵部に付着した捕集物を洗浄するために、図示しない給水部と連結されて給水可能となっている。液体洗浄手段１６は、使用過程で集塵部３及び帯電部４に付着した捕集物を液体で洗浄するための例えばスプレー状に噴霧可能な例えばノズルである。洗浄ボックス２９は、下面が開口しており、本体外から供給された水などの液体を用いて機体の上部から洗浄が可能としている。着脱ユニット７の係合基部Ｂ１２は、前記液体洗浄手段１６から放出された液体を前記着脱ユニット７内に導く洗浄孔１７を備えているのは上述のとおりである。洗浄孔１７は、液体洗浄手段１６から噴出された液体が洗浄ボックス２９の内壁に当たって飛散する飛散方向と放電線６を結ぶ位置に配置されている。
【００４８】
このような構成によれば、着脱ユニット７の内側に固定される放電線６や着脱ユニット７の係合基部Ｂ１２に死角となるように配置される接地極５の洗浄において、本体上部に配置される洗浄ボックス２９から直接液体洗浄が可能となる。
【００４９】
このため、放電線６を効果的に洗浄することができ、放電線６による帯電機能の維持がより確実となる効果を奏する。
（変形例）
なお、本実施の形態では、ガイド２７の開口を上方に設けて上方から仮装着可能としているが、これに限らず、風路の側方であってもよい。
【産業上の利用可能性】
【００５０】
本発明に係る電気集塵機は、放電線を用いて保守作業における取付け安定性の向上を可能とするものであるので、定期的な維持を行いながら長期使用される設備設置型の電気集塵機として有用である。
【符号の説明】
【００５１】
１    ケーシング
２    風路
３    集塵部
４    帯電部
５    接地極
６    放電線
７    着脱ユニット
８    放電平面
９    フレーム
１０    係合基部Ａ
１１    引掛け部Ａ
１２    係合基部Ｂ
１３    引掛け部Ｂ
１４    Ｕ型溝
１５    電気集塵機
１６    液体洗浄手段
１７    洗浄孔
１８    プレフィルター
１９    極板
２０    支持シャフト
２１    スペーサー
２２    上流端部
２３    下流端部
２４    空気の流れ
２５    バネ
２６    極板延長部
２７    ガイド
２８    下方開口
２９    洗浄ボックス
３０    挿入方向
【図１】
2018034104.tif 000003
【図２】
2018034104.tif 000004
【図３】
2018034104.tif 000005
【図４】
2018034104.tif 000006
【図５】
2018034104.tif 000007
【図６】
2018034104.tif 000008